(57)【要約】【課題】集水器内で隣り合う軒樋が一定の間隔を開けて取り付けることができ、多品種を揃える必要がなく、取付後、軒樋が温度変化により伸びたり、外力によりずれが起こったりした場合、隣り合う軒樋同士で排水口が塞がれて排水能力が落ちるようなことがなく、軒樋が温度変化により縮んだ場合は、集水器の差込部とストッパーが接触により損傷することなく抜けを防げる、軒樋用ストッパーを提供する。【解決手段】軒樋の端部を上から押さえる上片部５と、軒樋の端部を下から押さえる下片部６と、上片部の一端部と下片部の一端部とを繋ぐ縦部材２とからなる一対のストッパー片が、縦部材に繋がれている上片部と下片部よりなる開口方向が互いに外向きになされた状態で、湾曲形状を有し、外力に対して変形可能な一対の連結部材３で繋がれていることを特徴とする軒樋用ストッパー１。【選択図】  図１
2004360297.tif 000002
【特許請求の範囲】
【請求項１】
軒樋の端部を上から押さえる上片部と、軒樋の端部を下から押さえる下片部と、上片部の一端部と下片部の一端部とを繋ぐ縦部材とからなる一対のストッパー片が、縦部材に繋がれている上片部と下片部よりなる開口方向が互いに外向きになされた状態で、湾曲形状を有し、外力に対して変形可能な一対の連結部材で繋がれていることを特徴とする軒樋用ストッパー。
【請求項２】
連結部材が縦部材に脱着可能に繋がれていることを特徴とする請求項１記載の軒樋用ストッパー。
【発明の詳細な説明】
【０００１】
【発明の属する技術分野】
本発明は、軒樋用ストッパーに関するものである。
【０００２】
【従来の技術】
軒樋と集水器とは、軒樋の下流側端部を集水器の差込部に差し込むことによって接続され、この軒樋の下流側端部が集水器の差込部から抜けるのを防止する為に、軒樋用ストッパーが用いられている（例えば、特許文献１、２参照）。
【０００３】
特許文献１に記載の軒樋用ストッパーは、軒樋の端部を下から押さえる板状の上片部と、軒樋の端部を上から押さえる下片部とが本体に軒樋の端部を挿入させることができる間隔を隔てて同じ方向に突出して設けられ、この本体に水切り板が下方に垂下して設けられているものである。この軒樋用ストッパーは、集水器の差込部の中に軒樋の下流側端部を差し込んだ後、軒樋の下流側端部を上片部と下片部との間に挿入して使用し、軒樋用ストッパーで、軒樋の下流側端部が集水器の差込部から抜けるのを防いでいる。
【０００４】
通常、夏冬の温度差によって、軒樋は伸びたり、縮んだりする。軒樋が縮む時は、軒樋の下流側端部と軒樋用ストッパーとが差込部の方向に移動しても、特許文献１に記載の軒樋用ストッパーが軒樋の下流側端部に取り付けられているため、軒樋の下流側端部が集水器の差込部から抜けるのを防止することができる。
【０００５】
ところが、軒樋が伸びる時、隣接した軒樋が集水器の両側に差し込まれていると、一方の軒樋の下流側端部に取り付けられた軒樋用ストッパーと、他方の軒樋の下流側端部に取り付けられた軒樋用ストッパーとの距離が狭められ、軒樋用ストッパーの間から集水器の排水口へ落ちる排水能力が落ちたり、更に伸びて、軒樋用ストッパー同士が突き当たり、排水不能になるという問題があった。
【０００６】
特許文献２記載の軒樋用ストッパーは、この問題を解決するため提案されたものであり、軒樋の端部を上から押さえる板状の上片部と、軒樋の端部を下から押さえる下片部と、上片部の一端部と下片部の一端部とを繋ぐ縦部材とからなるストッパー片が、縦部材に繋がれている上片部と下片部よりなる開口方向が互いに外向きになされ状態で、連結部材で繋がれていることを特徴とする軒樋用ストッパーで、軒樋の下流側端部が集水器の差込部から抜けるのを防ぐ機能を持つ。また、気温の変化などにより、軒樋が縮む時は、軒樋の下流側端部と軒樋用ストッパーとが差込部の方向に移動しても、軒樋の下流側端部が集水器の差込部から抜けるのを防止することができる。
【０００７】
また、ストッパー片が連結部材で繋がれているので、軒樋が施工時に何らかの力が掛かっても、集水器内で隣り合う軒樋が一定の標準間隔を開けて取り付けることができ、取付後、連結部材を取り去り、軒樋が軒樋方向に伸びて、隣り合う軒樋同士で排水口が塞がれ、排水能力が落ちるようなことはない。
【０００８】
【特許文献１】
実公昭６１−３５６３９号公報（第１頁〜第３頁）
【特許文献２】
特開２００１−１４０４１９号公報（第１頁〜第５頁）
【０００９】
【発明が解決しようとする課題】
しかし、この提案によると、ストッパー片を繋ぐ連結部材が、軒樋用ストッパーを射出成形で一体に成形されるか、射出成形時のランナーを兼ねているものであることが述べられている。ここで、隣り合う軒樋の標準間隔は、サイズなどで変わるが、一体成形となっているために、軒樋サイズと標準間隔の組み合わせで、多品種の軒樋ストッパーが必要になり、コスト高になるという問題があった。
【００１０】
また、施工時、軒樋用ストッパーの間隔は一定に保たれ、集水器内で隣り合う軒樋を一定の標準間隔を開けて取り付けた後、連結部材を取り去るので、軒樋が長手方向に縮む場合、集水器とストッパーが接触して、抜けは防止できるが、集水器とストッパーの間で応力が掛かり、場合によっては、集水器あるいは軒樋に損傷を与える可能性がある。また、隣り合う軒樋同士が繋がっていない為、軒樋の施工後に長手方向にずれることがあったりすると、温度変化などで、軒樋が伸びる場合、軒樋同士が接触して排水口が塞がれ、排水能力が落ちる可能性もある。
【００１１】
そこで、本発明の目的は、上記問題に着目してなされたもので、集水器内で隣り合う軒樋が一定の間隔を開けて取り付けることができ、多品種を揃える必要がなく、取付後、軒樋が温度変化により伸びたり、外力によりずれが起こったりした場合、隣り合う軒樋同士で排水口が塞がれて排水能力が落ちるようなことがなく、軒樋が温度変化により縮んだ場合は、集水器の差込部とストッパーが接触により損傷することなく抜けを防げる軒樋用ストッパーを提供することである。
【００１２】
【課題を解決するための手段】
本発明は上記目的を達成するために行ったものであって、請求項１記載の発明は、軒樋の端部を上から押さえる上片部と、軒樋の端部を下から押さえる下片部と、上片部の一端部と下片部の一端部とを繋ぐ縦部材とからなる一対のストッパー片が、縦部材に繋がれている上片部と下片部よりなる開口方向が互いに外向きになされた状態で、湾曲形状を有し、外力に対して変形可能な一対の連結部材で繋がれていることを特徴とする軒樋用ストッパーである。
【００１３】
また、請求項２記載の発明は、連結部材が縦部材に脱着可能に繋がれていることを特徴とする請求項１記載の軒樋用ストッパーである。
【００１４】
本発明において、上片部と下片部の形状と間隔については、軒樋の端部の上面に上片部の下面が当接でき、下面に下片部の上面が当接できるようになされていれば、適宜な形状でよく、例えば、上片部と下片部とは、軒樋の底面と同じ幅の長さの板体で、縦部材に軒樋の端部を挿入させることができる間隔を隔てて同じ方向に突出して設け、この軒樋を挿入させることができる間隔とは、軒樋の厚みにほぼ等しい距離にすると、上片部と下片部とで軒樋の端部を挟むことができ、軒樋の底面全体に取り付けてしっかりと止めることができるので、好ましい。尚、上記の間隔については、上記のように同じ幅でもよく、縦部材側が軒樋の厚みより小さく、先端にゆくに従って次第に大きくなされ、先端の入口が軒樋の厚みより大きくテーパー状になされていてもよい。
【００１５】
本発明において、縦部材の形状は、上片部と下片部とを軒樋の端部の厚みとほぼ同じ厚みだけ開けて繋ぐことができれば、適宜な形状でよく、細長い板体であると、上端部に上片部を取り付け、下端部に下片部を取り付け、板体の下端が下片部より下になるようにすると、この下片部より下の板体が水切り板となるので、好ましい。
【００１６】
本発明において、連結部材の形状は、２つの縦部材同士を繋いで、隣り合う軒樋の端部に軒樋用ストッパーを、所定の間隔をあけて取り付けるために、一対の湾曲形状とする。形状は互いに対称な一対の略楕円形状が望ましい。少ない部材で集水器の排水口に十分なスペースをあけ、隣り合う軒樋の長手方向の動きを緩和するために、この形状が望ましい。
連結部材の素材の選択や、寸法の設計は、機能として、施工時に所定の間隔（標準間隔）を保てる程度の剛性をもつ様に決められる。また、取り付け後、軒樋どおしの伸縮や、外的要因により長手方向にずれが起ころうとする場合、連結部材の伸びや撓みにより、軒樋の長手方向の移動を緩和できることが必要であるので、この点も考慮して決められる。
【００１７】
連結部材の材質は、合成樹脂が望ましく、形状保持性の観点から、弾性率の高い強化プラスチックや、塩化ビニル樹脂、ポリエチレン、ポリプロピレンなどが用いられる。
【００１８】
本発明において、軒樋用ストッパー片の材質は、軒樋の下流側端部に取り付けることができれば、適宜な材質でよく、例えば塩化ビニル樹脂などの合成樹脂にすると、軽量で、軒樋の下流側端部に取り付け易く、これらは射出成型法で成形することができる。
【００１９】
本発明において、連結部材と縦部材を脱着可能に繋ぐ手段としては、たとえば両方の縦部材に孔を設け、一方、連結部材の両端に突起を設け、この突起を縦部材の孔に係止する手段などが採用される。
【００２０】
【発明の実施の形態】
以下、本発明の実施の形態を図面に基づいて詳細に説明する。
図１は、軒樋用ストッパーの一例を示す斜視説明図、図２は、図１の正面図、図３は、軒樋用ストッパーが軒樋の端部に取り付けられている状態を示す平面図、図４は、ストッパー片の斜視説明図、図５は、連結部材の斜視説明図、図６は、図１の軒樋用ストッパーの使用状態を示す説明図である。
【００２１】
図１及び図２において、１は塩化ビニル樹脂製の軒樋用ストッパーであり、この軒樋用ストッパー１は、左右一対のストッパー片７、７と、両ストッパー片７、７を繋ぐ一対の連結部材３、３からなっている。ストッパー片７は、上片部５と、下片部６と、上片部５と下片部６とを繋ぐ縦部材２とからなっている。連結部材３は略楕円形状に湾曲している。
【００２２】
上片部５は、図３に示す軒樋８の端部を上から押さえる板状体で、縦部材２の上端部から一方向にほぼ水平に突き出されており、上面の両端部に軒樋方向に沿って補強用のリブ５１、５１が設けられている。
軒樋８と直交する方向の上片部５の幅は軒樋８の内側の幅とほとんど同じ長さになされ、軒樋方向の上片部５の長さは軒樋８の端部に上片部５と下片部６とでできた間隙４が差し込まれて、係止できる長さになされている。
【００２３】
下片部６は、軒樋８の端部を下から押さえる板状体で、縦部材２の下端部から上片部５と同じ一方向にほぼ水平に突き出され、軒樋方向の下片部６の長さは上片部５より若干短くなされ、軒樋８と直交する方向に下片部６の幅は上片部５の幅とほとんど同じ長さになされている。上片部５と下片部６との間の間隙４の大きさは軒樋８の底部の厚みとほぼ同じになされている。
【００２４】
縦部材２は、上片部５の一端部と下片部６の一端部とを繋ぐ小片で、上片部５と反対方向の面（外側面）の両端部に縦方向に補強用のリブ２１が設けられている。
【００２５】
連結部材３は、略楕円形状の棒状体で、図４に示すストッパー片２の嵌合部７１と嵌合するための両端部に嵌合部３１が設けられる（図５）。この連結部材３で、一方のストッパー片７の上片部５と下片部６よりなる開口方向が、他方のストッパー片７の上片部５と下片部６よりなる開口方向が互いに外向きにされた状態で、ストッパー片７、７が繋がれる。連結部材３、３の両端部はストッパー片７、７の縦部材２、２の外側面の中心に対して対称に繋がれている。
【００２６】
連結部材３の長さは、両端部にストッパー片７、７とを取り付けて、上片部５、５と下片部６、６とでできた間隙４、４に軒樋８、８の端部が奥まで差し込まれた時、隣り合う軒樋８、８の端部間の距離が伸縮を考慮して決められた標準間隔Ｈになるようになされている。
【００２７】
軒樋８は底部と、この底部の両側に側壁が立設されている断面コ字形の長尺体である。集水器９は軒樋方向と直交する側壁に軒樋８が挿入できる大きさに切欠された差込部が設けられ、底部のほぼ中央部に排水口が設けられている。
【００２８】
次に、図３及び図５に示す使用方法および作用について説明する。
先ず、隣り合う軒樋８、８同士を、伸縮を考慮して決められた標準間隔Ｈより少し広げて、軒先に取り付ける。
【００２９】
一対の連結部材３、３の各両端に形成されている嵌合部３１、３１を、一対のストッパー片７、７の各縦部材２、２に形成されている嵌合部７１、７１に嵌合させ、軒樋ストッパーを得る。
【００３０】
次に、軒樋８の端部の内側面と外側面に接着剤（図示省略）を塗布し、一方のストッパー片７の間隙４を軒樋８の端部に奥まで差し込む。次に、他方の軒樋８の端部の内側面と外側面に接着剤を塗布し、他方のストッパー片７の間隙４を軒樋８の端部に奥まで差し込んで、隣り合う軒樋８、８の端部間の距離が伸縮を考慮して決められた標準間隔Ｈになるようにして、隣り合う軒樋８、８間に軒樋用ストッパー１を取り付ける。
【００３１】
次に、集水器９の差込部の屋外側を軒樋８、８の下流側端部の屋外側に上方から引っ掛け、集水器９を屋内側に回動させ、集水器９の差込部の屋内側を軒樋８、８の下流側端部の屋内側に嵌め込んで、所定の標準間隔Ｈをあけられた軒樋８、８の下流側端部に集水器９を取り付け、集水器９をほぼ水平にする。
すると、集水器９の差込部から軒樋８が抜け難くなる。
【００３２】
このような施工を行なうと、集水器９内で隣り合う軒樋８、８が一定の標準間隔を開けて取り付けることができる。また、軒樋の長手方向について、軒樋用ストッパー１のうち連結部材３の弾性的な機能により、取り付け後、軒樋どおしの伸縮や、外的要因により長手方向にずれが起ころうとする場合、連結部材の伸びや撓みにより、軒樋の長手方向の移動を緩和できる。
【００３３】
したがって、軒樋が長手方向に縮んでも、集水器とストッパーが接触して、集水器あるいは軒樋に損傷を与えることはない。また、軒樋が長手方向に伸びる場合は、隣り合う軒樋同士がつながっていない施工法をとる場合と異なり、軒樋の施工後に長手方向にずれる場合などに、軒樋同士が接触して排水口が塞がれ、排水能力が落ちるようなことはない。
【００３４】
連結部材３は、ストッパー片２と別々に成形加工できるから、これらの自由な組み合わせにより、軒樋用ストッパーを一体成形品とし成形した場合に比べ多品種を揃える必要がない。
【００３５】
【発明の効果】
請求項１記載の発明は、軒樋の端部を上から押さえる上片部と、軒樋の端部を下から押さえる下片部と、上片部の一端部と下片部の一端部とを繋ぐ縦部材とからなる一対のストッパー片が、縦部材に繋がれている上片部と下片部よりなる開口方向が互いに外向きになされた状態で、湾曲形状を有し、外力に対して変形可能な一対の連結部材で繋がれているから、集水器内で隣り合う軒樋を所定の間隔を開けて取り付けることができる。そして、取付後、軒樋が温度変化により伸びたり、外力によりずれが発生しても、隣り合う軒樋同士で排水口が塞がれて排水能力が落ちるようなことがない。逆に、軒樋が温度変化により縮んでも、集水器の差込部とストッパーが接触により損傷することなく抜けを防止できる。
【００３６】
請求項２記載の発明は、連結部材がストッパー片の縦部材に脱着可能に繋がれているから、軒樋のサイズが変わっても、連結部材を他のものと取り換えるだけで対応することができ、コスト的にも有利となる。
【図面の簡単な説明】
【図１】軒樋用ストッパーの一例を示す斜視説明図である。
【図２】図１の正面図である。
【図３】軒樋用ストッパーが軒樋の端部に取り付けられている状態を示す平面図である。
【図４】ストッパー片の斜視説明図である。
【図５】連結部材の斜視説明図である。
【図６】図１の軒樋用ストッパーの使用状態を示す説明図である。
【符号の説明】
１  軒樋用ストッパー
２  縦部材
３  連結部材
３１  嵌合部
４  間隙
５  上片部
６  下片部
７  ストッパー片
７１  ストッパー片の嵌合部
８  軒樋
９  集水器
Ｈ  標準間隔
【図１】
2004360297.tif 000003
【図２】
2004360297.tif 000004
【図３】
2004360297.tif 000005
【図４】
2004360297.tif 000006
【図５】
2004360297.tif 000007
【図６】
2004360297.tif 000008